(57)【特許請求の範囲】
【請求項１】
一側端部を枢支側端部とすると共に他側端部を回動側端部として回動自在としたドアの回動側端部の下端部にフラップ受け部を設け、前記フラップ受け部の回動軌跡のうちの所定部位の下方の床に一側端部を枢支端部とすると共に他側端部を回動端部として上下に回動自在としたフラップを配置して、前記フラップを回動するドアの回動側端部が近づいてくる側が回動端部側となるように配設し、フラップとフラップ受け部の一方に磁石を設けると共に他方に前記磁石に磁着される磁性体を設け、回動するドアのフラップ受け部がフラップの上方に位置しない時には、フラップの回動端部が下方に回動していてフラップが略水平状態となると共に、回動するドアのフラップ受け部がフラップの上方に位置する時には、磁石と磁性体とが引き寄せ合ってフラップの回動端部が上方に鋭角回動することでフラップが斜め上方に傾斜して、前記斜め上方に傾斜したフラップにほぼ沿う係合下面と該係合下面側に面するように係合下面の上端より略下方に形成される係合当り面とからなるフラップ受け部の係合部にフラップの回動端部が係合されて回動するドアが停止するようにしたものにおいて、フラップを配置する床にフラップが収納されてその上方をドアの回動端部が通過可能にする収納凹部を形成し、フラップが収納凹部の上側に略１８０度回動自在となるように収納凹部の略中央部にフラップの枢支端部を枢支して成ることを特徴とするドアストッパー。
【発明の詳細な説明】
【０００１】
【発明の属する技術分野】
本発明は、回動自在なドアの下端部に設けるフラップ受け部と、床に設ける回動自在なフラップとからなり、ドアを一定以上回動しないようにするドアストッパーに関するものである。
【０００２】
【従来の技術】
従来から、ドアが一定以上回動しないようにするため、回動自在なドアの下端部に設けるフラップ受け部と、床に設ける回動自在なフラップとからなるドアストッパーが使用されている。
【０００３】
これは、図３に示すように、ドア１の一側端部を枢支して枢支側端部とし、ドア１の他側端部を回動自在な回動側端部１１として、枢支側端部を中心に回動側端部１１を回動することでドア１を回動可能とし、ドア１の回動側端部１１の下端部にフラップ受け部２を設け、ドア１が回動する際のフラップ受け部２の回動軌跡のうちの所定部位の下方の床３にフラップ４を配置する。フラップ４は、一側端部を床３に枢支して枢支端部４１とし、他側端部を回動端部４２として、枢支端部４１を中心に回動端部４２を上下に回動自在としてあり、回動するドア１の回動側端部１１が近づいてくる側が回動端部４２側となるように配設される。
【０００４】
このようなフラップ４は、フラップ取付基台８’に取付られる。フラップ取付基台８’は大略板状をしたもので、床３の上面に取付けたり床３に埋設したりするものである。フラップ４はこのようなフラップ取付基台８’に取付けられるのであるが、フラップ４が取付けられる部位には、ドア１のフラップ受け部２が上方に位置しない場合にフラップ４が収納される収納凹部８１’が形成してある。フラップ４は、この収納凹部８１’内で、ドア１の回動側端部１１が近づいてくる側と反対側の端部に枢支端部４１を枢支するものである。
【０００５】
このようなフラップ４は、フラップ受け部２がフラップ４の上方に位置しない時には、フラップ４の回動端部４２が下方に回動して収納凹部８１’に収納されてフラップ４が略水平状態となるものであるが、ドア１が回動してフラップ受け部２が近づいてきてフラップ４の上方に位置すると、フラップ受け部２に設けた磁石５１と磁性体５２とからなるフラップ４が引き寄せ合い、フラップ４の回動端部４２が上方に回動してフラップ４が斜め上方に傾斜する。そして、この斜め上方に傾斜したフラップ４がフラップ受け部２に係合されて、回動するドア１を停止するものである。
【０００６】
ところが、フラップ４が何らかの理由で、例えば図４に示すように、フラップ４の下側にゴミ９が挟まり込んだりしていて、ドア１の回動側端部１１がフラップ４の上方に位置しないにも拘わらずフラップ４の回動端部４２が上方に回動してフラップ４が斜め上方に傾斜しているような場合には、ドア１が回動してフラップ受け部２がフラップ４に近づいてくると（図３（ａ）参照）、フラップ受け部２の係合下面６１の外側に形成される外側面２１にフラップ４が当たって（図３（ｂ）参照）、フラップ４が反り返ってしまうものである（図３（ｃ）参照）。フラップ４は、収納凹部８１’内でドア１の回動側端部１１が近づいてくる側と反対側の端部に枢支端部４１が枢支してあり、収納凹部８１’に略水平に収納された状態から回動端部４２が１８０度程回動して反対側に略水平となるような状態にはならずに途中でフラップ４とフラップ取付基台８の収納凹部８１’の側壁部に当たって回動が停止されるものであるため、反り返って収納凹部８１’の側壁部に当たったフラップ４をドア１で更に押圧してしまうと、フラップ４の枢支端部４１を枢支している部分が破損したりするという問題があった。
【０００７】
【発明が解決しようとする課題】
本発明は上記の点に鑑みてなされたものであり、その目的とするところは、ドアの回動側端部がフラップ上方に位置しないにも拘わらずフラップの回動端部が上方に回動してフラップが斜め上方に傾斜していた場合でも、反り返って途中で停止したフラップをドアで更に押してしまってフラップの枢支端部を枢支している部分が破損したりするのを防止することができるドアストッパーを提供することを課題とするものである。
【０００８】
【課題を解決するための手段】
上記課題を解決するために本発明に係るドアストッパーは、一側端部を枢支側端部とすると共に他側端部を回動側端部１１として回動自在としたドア１の回動側端部１１の下端部にフラップ受け部２を設け、前記フラップ受け部２の回動軌跡のうちの所定部位の下方の床３に一側端部を枢支端部４１とすると共に他側端部を回動端部４２として上下に回動自在としたフラップ４を配置して、前記フラップ４を回動するドア１の回動側端部１１が近づいてくる側が回動端部４２側となるように配設し、フラップ４とフラップ受け部２の一方に磁石５１を設けると共に他方に前記磁石５１に磁着される磁性体５２を設け、回動するドア１のフラップ受け部２がフラップ４の上方に位置しない時には、フラップ４の回動端部４２が下方に回動していてフラップ４が略水平状態となると共に、回動するドア１のフラップ受け部２がフラップ４の上方に位置する時には、磁石５１と磁性体５２とが引き寄せ合ってフラップ４の回動端部４２が上方に鋭角回動することでフラップ４が斜め上方に傾斜して、前記斜め上方に傾斜したフラップ４にほぼ沿う係合下面６１と該係合下面６１側に面するように係合下面６１の上端６１ａより略下方に形成される係合当り面６２とからなるフラップ受け部２の係合部６にフラップ４の回動端部４２が係合されて回動するドア１が停止するようにしたものにおいて、フラップ４を配置する床３にフラップ４が収納されてその上方をドア１の回動端部１１が通過可能にする収納凹部８１を形成し、フラップ４が収納凹部８１の上側に略１８０度回動自在となるように収納凹部８１の略中央部にフラップ４の枢支端部４１を枢支して成ることを特徴とするものである。このような構成とすることで、ドア１の回動側端部１１がフラップ４上方に位置しないにも拘わらずフラップ４の回動端部４２が上方に回動してフラップ４が斜め上方に傾斜していた場合でも、フラップ４は略１８０度回動自在としてあるため、フラップ４が途中で回動が停止してドア１によって更に押圧されることがなく、収納凹部８１に収納されてその上方をドア１が通過できるため、フラップ４の枢支端部４１を枢支している部分が破損するのを防止することができる。
【０００９】
【発明の実施の形態】
以下、本発明を添付図面に示す実施形態に基づいて説明する。
【００１０】
本発明に係るドアストッパーは、回動自在なドア１の下端部に設けるフラップ受け部２と、床３に設ける回動自在なフラップ４とからなり、ドア１を一定以上回動しないようにするものである。
【００１１】
フラップ受け部２が設けられるドア１は、出入り口として壁部に穿設される開口の一側端部にドア１の一側端部を丁番等で枢支して枢支側端部とし、ドア１の他側端部を回動自在な回動側端部１１として、枢支側端部を中心にして回動側端部１１を回動することで開閉自在となるように上記壁部の開口に設けるものである。そして、このようなドア１の回動側端部１１の下端部にフラップ受け部２を設けると共に、床３にフラップ４を配設するのであるが、フラップ４は、ドア１が開閉する際に回動するフラップ受け部２の回動軌跡のうちで、所定部位の下方の床３に配置される。例えば、ドア１を閉めて壁部の開口が閉塞される全閉状態にしようする際にドア１が壁部の反対側にまで更に回動してしまったりすることのないように、ドア１の全閉時にフラップ受け部２の下方に位置する床３（すなわち壁部の開口縁近傍の床３）にフラップ４を配置したり、あるいは、ドア１を開ける際にドア１が壁に衝突したりすることのないように、ドア１の回動側端部１１を回動してドア１を壁の少し手前にまで開けた時にフラップ受け部２の下方に位置する床３に配置したりするものであるが、フラップ受け部２の回動軌跡のうちのどの部位の下方の床３に配置するかは特に限定されない。このようなフラップ４はドア１の回動側端部１１の下端部に設けたフラップ受け部２に係合してドア１が一定以上回動するのを防止するもので、以下に説明する。
【００１２】
フラップ４は、一側端部を床３（本実施形態では、後述するフラップ取付基台８）に枢支して枢支端部４１とし、他側端部を回動端部４２として、枢支端部４１を中心にして回動端部４２を上下に回動自在とするもので、上述したようにフラップ受け部２の回動軌跡のうち所定部位の下方の床３に配置されるのであるが、この時、枢支端部４１と回動端部４２は、回動するドア１の回動側端部１１が近づいてくる側が回動端部４２側となるように配設されるものである。すなわち、例えば上記のように、ドア１を閉めて壁部の開口が閉塞される全閉状態にしようする際にドア１が壁部の反対側にまで更に回動してしまったりすることのないように、ドア１の全閉時にフラップ受け部２の下方に位置する床３にフラップ４を配置する場合には、ドア１を閉める際にドア１の回動側端部１１が移動する先方側がフラップ４の枢支端部４１側となると同時に、ドア１を開ける際にドア１の回動側端部１１が移動する先方側がフラップ４の回動端部４２側となるように配置するものである。また、ドア１を開ける際にドア１が壁に衝突したりすることのないように、ドア１の回動側端部１１を回動してドア１を壁の少し手前にまで開けた時にフラップ受け部２の下方に位置する床３に配置する場合には、ドア１を開ける際にドア１の回動側端部１１が移動する先方側がフラップ４の枢支端部４１側となると同時に、ドア１を閉める際にドア１の回動側端部１１が移動する先方側がフラップ４の回動端部４２側となるように配置するものである。このように配置するフラップ４は、フラップ受け部２がフラップ４の上方に位置しない時には、フラップ４の回動端部４２が下方に回動していてフラップ４が略水平状態となると共に、フラップ受け部２がフラップ４の上方に位置する時には、フラップ４の回動端部４２が上方に回動してフラップ４が斜め上方に傾斜するものである。なお、フラップ４の回動は、後述するが、磁石５１と該磁石５１に磁着される磁性体５２とが引き寄せ合うことによるものである。そして、本実施形態では、フラップ４はフラップ取付基台８に取付けられる。
【００１３】
フラップ取付基台８は、床３面上に取付けられるもので、フラップ取付基台８は大略板状をしたもので、床３の上面に取付けたり床３に埋設したりするもので、本実施形態では床３の上面に取付けてある。フラップ取付基台８のフラップ４が取付けられる部位には、ドア１のフラップ受け部２が上方に位置しない場合にフラップ４が収納される収納凹部８１が形成してある。フラップ４は、この収納凹部８１内で、ドア１の回動側端部１１が近づいてくる方向の略中央部にフラップ４の枢支端部４１を枢支して、フラップ４が収納凹部８１の上側に略１８０度回動自在となるようにしてあり、フラップ４が収納凹部８１に収納された状態で、その上方をドア１の回動側端部１１が通過可能となるようにしてある。
【００１４】
フラップ４は、略水平状態となった際、上面が床３面と面一となるようにしてもよい。そして、フラップ受け部２がフラップ４の上方に位置してフラップ４が斜め上方に傾斜した際には、フラップ４はフラップ受け部２に係合されるものであり、これについて説明する。
【００１５】
フラップ受け部２は、斜め上方に傾斜したフラップ４にほぼ沿うような係合下面６１と、この係合下面６１側に面するように係合下面６１の上端より略下方に形成される係合当り面６２とからなる係合部６が形成してある。すなわち、ドア１が回動してフラップ４の上方に位置した時に、斜め上方に傾斜したフラップ４の回動端部４２が当たる係合当り面６２をフラップ４の枢支端部４１側の方を向くように形成し、この係合当り面６２の上端（後述する当り部）からフラップ４の枢支端部４１側に向けて、斜め上方に傾斜したフラップ４にほぼ沿うような係合下面６１を形成して、係合当り面６２と係合下面６１とで係合部６を構成するものである。このようにすることで、ドア１が回動して回動側端部１１がフラップ４の回動端部４２側の方からフラップ４へと近づいてきて、ドア１の回動側端部１１の下端部に設けたフラップ受け部２がフラップ４の上方に位置した時、フラップ４が枢支端部４１を中心にして回動端部４２が上方に回動することでフラップ４が斜め上方に傾斜し、斜め上方に傾斜したフラップ４の回動端部４２がフラップ受け部２の係合部６の係合下面６１に当たって該係合下面６１に沿って移動し、係合当り面６２と係合下面６１との交差部に位置する当り部６３にて係合されて、回動するドア１を停止させることができる（図２参照）。本実施形態では、係合下面６１を斜め上方に傾斜したフラップ４にほぼ沿うように形成してあるが、係合下面６１は略水平となるように形成してあってもよい。
【００１６】
そして、フラップ受け部２の係合部６の係合下面６１には磁石５１が埋設してあると共に、フラップ４は鉄系材料のような磁性体５２で形成してある。このようにすることで、ドア１を回動させて回動側端部１１がフラップ４の回動端部４２側の方からフラップ４へと近づいてきて、ドア１の回動側端部１１の下端部に設けたフラップ受け部２がフラップ４の上方近傍に位置した時に、フラップ受け部２の係合下面６１に埋設した磁石５１と磁性体５２で形成したフラップ４とが引き寄せ合って、フラップ４の回動端部４２を上方に回動させることができる。回動端部４２が上方に回動したフラップ４は、磁石５１によってフラップ受け部２の係合下面６１に接触し、更にドア１を回動させて回動端部４２が当り部６３に当って係合し、回動するドア１が停止する。フラップ４は該傾斜したフラップ４に沿うように形成してある係合下面６１に当接すると同時に、係合下面６１に埋設した磁石５１にて磁着されるため、フラップ４の回動端部４２と当り部６３との係合が保持される。
【００１７】
また、上記のようにして、フラップ４の回動端部４２とフラップ受け部２の当り部６３とで係合されて停止しているドア１は、元の方へ回動させることで、フラップ受け部２の係合部６の当り部６３とフラップ４の回動端部４２との係合が解除され、フラップ４の回動端部４２が移動して係合下面６１の下端部（すなわち、係合下面６１の係合当り面６２と反対側の端部）からフラップ受け部２より外れ落ちて、下方に回動することでフラップ４が略水平状態となる。これにより、ドア１の回動側端部１１がフラップ４近傍より遠ざかった場合には、回動端部４２が上方に回動して床３より突出していたフラップ４が略水平状態となって床３に収納されるものである。
【００１８】
フラップ４が何らかの理由で、例えば、フラップ４の下側にゴミ９が挟まり込んだりしていて、ドア１の回動側端部１１がフラップ４上方に位置しないにも拘わらずフラップ４の回動端部４２が上方に回動してフラップ４が斜め上方に傾斜していた場合、ドア１が回動して回動側端部１１の下端部に設けたフラップ受け部２がフラップ４に近づいてきた際、本来なら、フラップ受け部２の係合下面６１の下端部６１ｂがフラップ４の枢支端部４１へ向けて回動端部４２の上方を通過した後に、フラップ受け部２の係合下面６１に埋設した磁石５１と磁性体５２で形成したフラップ４とが引き寄せ合って、フラップ４の回動端部４２が上方に回動されてフラップ受け部２の当り部６３と係合されるところが、既に上方に回動しているフラップ４の回動端部４２がフラップ受け部２の外面に当たってしまうのであるが、フラップ４は略１８０度回動自在としてあるため、フラップ４が途中で回動が停止してドア１によって更に押圧されることがなく、収納凹部８１に収納されてその上方をドア１が通過できるため、フラップ４の枢支端部４１を枢支している部分が破損するのを防止することが可能となる。
【００１９】
【発明の効果】
上記のように本発明の請求項１記載の発明にあっては、一側端部を枢支側端部とすると共に他側端部を回動側端部として回動自在としたドアの回動側端部の下端部にフラップ受け部を設け、前記フラップ受け部の回動軌跡のうちの所定部位の下方の床に一側端部を枢支端部とすると共に他側端部を回動端部として上下に回動自在としたフラップを配置して、前記フラップを回動するドアの回動側端部が近づいてくる側が回動端部側となるように配設し、フラップとフラップ受け部の一方に磁石を設けると共に他方に前記磁石に磁着される磁性体を設け、回動するドアのフラップ受け部がフラップの上方に位置しない時には、フラップの回動端部が下方に回動していてフラップが略水平状態となると共に、回動するドアのフラップ受け部がフラップの上方に位置する時には、磁石と磁性体とが引き寄せ合ってフラップの回動端部が上方に鋭角回動することでフラップが斜め上方に傾斜して、前記斜め上方に傾斜したフラップにほぼ沿う係合下面と該係合下面側に面するように係合下面の上端より略下方に形成される係合当り面とからなるフラップ受け部の係合部にフラップの回動端部が係合されて回動するドアが停止するようにしたものにおいて、フラップを配置する床にフラップが収納されてその上方をドアの回動端部が通過可能にする収納凹部を形成し、フラップが収納凹部の上側に略１８０度回動自在となるように収納凹部の略中央部にフラップの枢支端部を枢支したので、ドアの回動側端部がフラップ上方に位置しないにも拘わらずフラップの回動端部が上方に回動してフラップが斜め上方に傾斜していた場合でも、フラップは略１８０度回動自在としてあるため、フラップが途中で回動が停止してドアによって更に押圧されることがなく、収納凹部に収納されてその上方をドアが通過できるため、フラップの枢支端部を枢支している部分が破損するのを防止することができる。
【図面の簡単な説明】
【図１】（ａ）（ｂ）（ｃ）は本発明の一実施形態のフラップの動作を説明する説明図である。
【図２】同上の係合部によるドアの停止を説明する説明図である。
【図３】（ａ）（ｂ）（ｃ）は従来例のフラップの動作を説明する説明図である。
【符号の説明】
１  ドア
１１  回動側端部
２  フラップ受け部
３  床
４  フラップ
４１  枢支端部
４２  回動端部
５１  磁石
５２  磁性体
６１  係合下面
６１ａ  上端
６２  係合当り面
８１  収納凹部
【図１】
0003582506.tif 000002
【図２】
0003582506.tif 000003
【図３】
0003582506.tif 000004